(57)【要約】  本明細書に記載された多種多様な実施例は、可搬型記憶装置が存在することが検出された際に、当該可搬型記憶装置内に記憶されているオペレーティング・システムを使用してコンピュータ装置を自動的にブートする機能を実現する。当該可搬型記憶装置が存在することが検出された際に、当該コンピュータ装置は、当該可搬型記憶装置から動的にブートし、当該可搬型記憶装置が存在しないことが検出された際には、当該コンピュータ装置は、当該コンピュータ装置と関係付けられたブート・モジュールにおいて、事前にプログラムされていたブート順序に復帰するように構成されることが可能である。本発明に係る幾つかの実施例においては、当該オペレーティング・システムは、当該可搬型記憶装置内において完全にカプセル化されており、例えば、当該オペレーティング・システムは、当該コンピュータ装置を一番最初にブートしたオペレーティング・システムから完全に分離された別個のものであったりする。【選択図】図１
2014513365.tif 000002
【特許請求の範囲】
【請求項１】
コンピュータにより実装される方法であって：
コンピュータ装置のブート動作の動的なリダイレクト制御を有効化するように構成されたトリガー・ファイルが存在するか否かを判定するステップ；
前記トリガー・ファイルが存在すると判定されることに応じて、前記コンピュータ装置のブート動作を可搬型記憶装置へと動的にリダイレクトすべきか否かを判定するステップ；
前記コンピュータ装置のブート動作を可搬型記憶装置へと動的にリダイレクトすべきと判定したことに応じて、前記コンピュータ装置のブート動作を、前記可搬型記憶装置の上に記憶されているオペレーティング・システムへと動的にリダイレクトするステップ；
前記トリガー・ファイルが存在しないと判定されることに応じて、前記コンピュータ装置を関連するブート実行モジュールにおいて指定されたとおりにブートするステップ；
を具備する方法。
【請求項２】
コンピュータにより実装される請求項１記載の方法であって：
前記可搬型記憶装置の上に記憶されている前記オペレーティング・システムは、前記可搬型記憶装置の上で完全にカプセル化されていることを特徴とする、方法。
【請求項３】
コンピュータにより実装される請求項１記載の方法であって：
前記コンピュータ装置のブート動作を可搬型記憶装置へと動的にリダイレクトすべきか否かを判定するステップは、少なくとも部分的には、前記可搬型記憶装置が存在することを判定する動作に基づくことを特徴とする、方法。
【請求項４】
コンピュータにより実装される請求項１記載の方法であって：
前記可搬型記憶装置はＵＳＢメモリ型の記憶装置を具備することを特徴とする、方法。
【請求項５】
コンピュータにより実装される請求項１記載の方法であって：
前記可搬型記憶装置は、前記コンピュータ装置のブート実行モジュールにおいて事前にプログラムされた直列的なブート実行順序に従って指定される複数の記憶装置とは異なる記憶装置であることを特徴とする、方法。
【請求項６】
コンピュータにより実装される方法であって：
コンピュータ装置のブート動作の動的なリダイレクト制御を有効化するステップ；
前記コンピュータ装置の上に可搬型記憶装置が存在するか否かを判定するステップ；
前記可搬型記憶装置が存在すると判定されたことに応じて、前記可搬型記憶装置が、前記コンピュータ装置をブートする起点として許可可能な記憶装置であるか否かを判定するステップ；
前記可搬型記憶装置を前記許可可能な記憶装置であると判定したことに応じて、事前にプログラムされた直列的にブート実行順序を含むブート実行モジュールを手動で修正することなく、前記コンピュータ装置のブート動作を、前記可搬型記憶装置の上に記憶されているオペレーティング・システムへと動的にリダイレクトするステップ；
を具備する方法。
【請求項７】
コンピュータにより実装される請求項６記載の方法であって：
前記コンピュータ装置のブート動作を前記動的にリダイレクトするステップは、前記コンピュータ装置のプラットフォーム・ファームウェアに対してプログラムされたロジックによりコマンドを発行し、前記可搬型記憶装置に関連するブート・エントリを追加することを実行可能にする動作を具備することを特徴とする、方法。
【請求項８】
コンピュータにより実装される請求項６記載の方法であって：
前記コンピュータ装置の前記プラットフォーム・ファームウェアは、ＵＥＦＩ（Unified  Extensible  Firmware  Interface）を介してアクセス可能となるように構成設定されていることを特徴とする、方法。
【請求項９】
コンピュータにより実装される請求項６記載の方法であって：
前記可搬型記憶装置は、前記コンピュータ装置のブート実行モジュールにおいて事前にプログラムされた直列的なブート実行順序に従って指定される複数の記憶装置とは異なる記憶装置であることを特徴とする、方法。
【請求項１０】
コンピュータにより実装される請求項６記載の方法であって：
前記可搬型記憶装置が、前記コンピュータ装置をブートする起点として許可可能な記憶装置であるか否かを判定するステップは、一つ以上の許可可能な装置を識別する情報を含むリストを処理する動作を具備することを特徴とする、方法。
【発明の詳細な説明】
【技術分野】
【０００１】
本発明は、オペレーティング・システムのブート動作に関係し、より具体的には、他のオペレーティング・システムへのブート動作の動的なリダイレクトに関係する。
【背景技術】
【０００２】
近年、コンピュータ装置は、自身と関係付けられたハードウェアとの相互作用を制御すると同時に、アプリケーションがリソースに簡単にアクセスすることが出来るようにするための基本的な手段として、典型的にはオペレーティング・システムを使用する。例えば、オペレーティング・システムは、メモリ割り当てを管理し、ハードウェア入出力を管理し、プロセッサ使用率を割り当て、サービス、アプリケーション及びその他の形態のアクセスを提供するために使用されることが可能である。ソフトウェア・アプリケーションは、当該アプリケーションが機能するために、当該オペレーティング・システムによって提供され、及び／又は管理される機能特性に依存している。その結果、ある一つのオペレーティング・システムのために書かれたアプリケーションは、修正されること無しには、もう一つ別のオペレーティング・システムの上では動作しないかも知れない。さらには、アプリケーションの製造販売業者は、複数のオペレーティング・システムをサポートすることを選択しない可能性があり、その結果、ユーザが特定のアプリケーションを実行することを選択するならば、ユーザが利用可能な実行環境を特定のオペレーティング・システムだけに狭めてしまう。ある場合においては、ユーザは、複数のアプリケーションの間で実行を切り替えるために、複数のオペレーティング・システムの間で実行環境を切り替えることが可能である。
【０００３】
同一装置内に複数のオペレーティング・システムを共存させるために、コンピュータ装置は、２つ以上のオペレーティング・システムをブートするように構成されることが可能である。例えば、コンピュータ装置がブート動作中であるとき、ユーザは手操作入力により当該ブート動作を中断させ、当該コンピュータ装置がブート情報やオペレーティング・システム情報を見出そうとする場所を変更することが可能である。しばしば、当該コンピュータ装置のためのブート・コードを複数の異なる製造販売業者が提供する場合が有り得る。その結果、各コンピュータ装置についてユーザが手操作入力によりブート・コードを変更することを可能にする方法は、製造販売業者によって様々に異なったものとなり得るので、コンピュータ装置をブートする方法を変更するためにユーザが知る必要がある知識は複合的なものとならざるを得ない。
【発明の概要】
【０００４】
本概要説明は、以下の発明の詳細な説明の欄においてさらに詳細に後述される本発明の選択された概念を簡略化された形で紹介するために提供される。この概要説明は、本願請求項に記載された技術的主題における鍵となる技術的特徴や必須の技術的特徴を特定することを意図するものではなく、本願請求項に記載された技術的主題によって定まる発明の範囲を限定するために使用されることを意図するものでもない。
【０００５】
本明細書に記載された多種多様な実施例は、可搬型記憶装置が存在することが検出された際に、当該可搬型記憶装置内に記憶されているオペレーティング・システムを使用してコンピュータ装置を自動的にブートする機能を実現する。本発明に係る幾つかの実施例においては、当該オペレーティング・システムは、当該可搬型記憶装置内において完全にカプセル化されている。代替的に又は追加的に、当該可搬型記憶装置が存在しないことが検出された際には、当該コンピュータ装置は、当該コンピュータ装置と関係付けられたブート・モジュールにおいて、事前にプログラムされていたブート順序に復帰する。
【図面の簡単な説明】
【０００６】
【図１】本発明に係る一つ以上の実施例に従って、本明細書中で説明される多種多様な原理を使用して発明を実施可能な動作環境を示す図
【図２】本発明に係る一つ以上の実施例に従って実行される方法の処理ステップを説明するフロー図
【図３】本発明に係る一つ以上の実施例に従って実行される方法の処理ステップを説明するフロー図
【図４】本発明に係る一つ以上の実施例に従って実行される方法の処理ステップを説明するフロー図
【図５】本発明に係る一つ以上の実施例に従って実行される方法の処理ステップを説明するフロー図
【図６】本発明に係る一つ以上の実施例を実装するために使用可能な例示的なシステムを示す図
【発明を実施するための形態】
【０００７】
＜本実施形態の概略＞
本明細書に添付した図面の全体を通して、同種の特徴的要素を参照するために、同一の参照番号が使用されている。本明細書に記載された多種多様な実施例は、可搬型記憶装置が存在することが検出された際に、当該可搬型記憶装置内に記憶されているオペレーティング・システムを使用してコンピュータ装置を自動的にブートする機能を実現する。当該可搬型記憶装置が存在することが検出された際に、当該コンピュータ装置は、当該可搬型記憶装置から動的にブートし、当該可搬型記憶装置が存在しないことが検出された際には、当該コンピュータ装置は、当該コンピュータ装置と関係付けられたブート・モジュールにおいて、事前にプログラムされていたブート順序に復帰するように構成されることが可能である。本発明に係る幾つかの実施例においては、当該オペレーティング・システムは、当該可搬型記憶装置内において完全にカプセル化されており、例えば、当該オペレーティング・システムは、当該コンピュータ装置を一番最初にブートしたオペレーティング・システムから完全に分離された別個のものであったりする。
【０００８】
以下の検討においては、「動作環境」と題された節は、本発明に係る一つ以上の実施例を使用して発明を実施可能な一つの環境を提示し、説明する。続いて、「レガシーＢＩＯＳ（Basic  Input  /  Output  System）ブート動作」と題された節は、本発明に係る一つ以上の実施例に従って、レガシー型のブート実行システムにおいて、コンピュータ装置のブート動作を動的にリダイレクトする動作を説明する。続いて、「ＵＥＦＩ（Unified  Extensible  Firmware  Interface）ブート動作」と題された節は、本発明に係る一つ以上の実施例に従って、ＵＥＦＩをサポートするコンピュータ装置のブート動作を動的にリダイレクトする動作を説明する。最後に、「例示的なシステム」と題された節は、本発明に係る一つ以上の実施例を実装するために使用可能な例示的なシステムを説明する。
【０００９】
本発明に関し、以下において後述する多種多様な実施例の概要を上述したので、続いて、本発明に係る一つ以上の実施例が実装されることが可能な例示的な動作環境について以下のとおり検討する。
【００１０】
＜動作環境＞
図１は、本発明に係る一つ以上の実施例に従う一つの動作環境を図示し、これは図１において一般的に参照番号１００で示される。環境１００は、一つ以上のプロセッサ１０４、一つ以上のコンピュータ読み取り可能記憶媒体１０６、および一つ以上のオペレーティング・システム１０８を有するコンピュータ装置１０２を含んでおり、当該オペレーティング・システム１０８は、コンピュータ読み取り可能記憶媒体１０６の中に存在し、プロセッサ１０４によって実行されることが可能である。上述したコンピュータ読み取り可能記憶媒体は、限定的な意味ではなく例示的な意味で言うならば、あらゆる形態の揮発性および不揮発性のメモリや典型的にはコンピュータ装置と関係付けられた記憶媒体を含むことが可能である。そのような記憶媒体は、ＲＯＭ、ＲＡＭ、フラッシュ・メモリ、ハード・ディスク、着脱可能記憶媒体などを含むことが可能である。コンピュータ装置１０２の一つの具体例は図６において説明され、図示されている。
【００１１】
加えて、コンピュータ装置１０２は、ＰＣブート・モジュール１１０を含む。ＰＣブート・モジュール１１０は、ソフトウェア、ハードウェア、ファームウェアおよび／またはこれらの組み合わせの中の任意の形態をとり得る概念として表現され、コンピュータ装置１０２をブートしたり、オペレーティング・システム１０８のような関連するオペレーティング・システムをロードしたりすることを可能にするように構成されている。本発明に係る幾つかの実施例においては、ＰＣブート・モジュール１１０は、コンピュータ装置のブート動作を可能にするように構成されたプラットフォーム用ファームウェア（例えば、ＢＩＯＳ（Basic  Input  /  Output  System）コード、ＵＥＦＩ（Unified  Extensible  Firmware  Interface）がアクセス可能なファームウェア・コードなど）の多種多様な形態を具備することが可能である。代替的に又は追加的に、ＰＣブート・モジュール１１０は、以下においてさらに後述するように、コンピュータ装置１０２の直列的なブート実行順序を可能にするように構成される。
【００１２】
コンピュータ装置１０２は、ブート・リダイレクト実行モジュール１１２をさらに含んでいる。ブート・リダイレクト実行モジュール１１２は、ソフトウェア、ハードウェア、ファームウェアおよび／またはこれらの組み合わせの中の任意の形態をとり得る概念として表現され、コンピュータ装置１０２に接続された可搬型記憶装置（例えば、可搬型記憶装置１１４）の存在を検出するように構成されている。当該可搬型記憶装置は、コンピュータ装置１０２に対して任意の方法で接続されることが可能であり、そのような接続方法としては例えば、ケーブルを介した方法、当該コンピュータ装置のプラグに直接挿入する方法、無線により接続する方法などが含まれる。ブート・リダイレクト実行モジュール１１２は、以下においてさらに後述するとおり、コンピュータ装置１０２のブート動作を当該可搬型記憶装置内に存在するオペレーティング・システムに動的にリダイレクトすることを可能にするようにさらに構成されることが可能である。ブート・リダイレクト実行モジュール１１２は、単一のモジュールとして図示されているけれども、それは、一つのモジュール、複数の別々のモジュールまたは複数のモジュールを一つに組み合わせたものとして実装可能であることが理解されよう。
【００１３】
図１において、可搬型記憶装置１１４は、例えば、ＵＳＢメモリ型記憶装置として図示されている。しかしながら、本願請求項に記載された技術的主題の基本思想から逸脱すること無しに、任意の適切な可搬型記憶装置を使用可能であることが当業者には理解でき、それらの具体例については、以下において述べられている。可搬型記憶装置１１４は、コンピュータ装置１０２に取り付けたり取り外したりすることが出来、および／またはコンピュータ装置１０２との間でデータを交換するように構成されることが可能である。
【００１４】
可搬型記憶装置１１４はコンピュータ読み取り可能記憶媒体１１６を含む。コンピュータ読み取り可能記憶媒体１１６は、限定的な意味ではなく例示的な意味で言うならば、あらゆる形態の揮発性および不揮発性のメモリや典型的にはコンピュータ装置と関係付けられた記憶媒体を含むことが可能である。コンピュータ読み取り可能記憶媒体１１６は、オペレーティング・システム１１８を含んでおり、コンピュータ装置１０２の中に含まれているオペレーティング・システム１０８と同一であっても異なっていてもよい。
【００１５】
コンピュータ装置１０２は、限定的な意味ではなく例示的な意味において例えば、デスクトップ・コンピュータ、ポータブル・コンピュータ、（例えば、ＰＤＡ（Personal  Digital  Assistant）等の）ハンドヘルド・コンピュータ、携帯電話などを含む任意の適切なコンピュータ装置として具体化することが可能である。
【００１６】
例示的な動作環境について上記のとおり説明したので、続いて、本発明に係る一つ以上の実施例に従って、レガシー型のブート・コードを使用してコンピュータ装置がブートする方法を動的にリダイレクトする動作について検討する。
【００１７】
＜レガシーＢＩＯＳ（Basic  Input  /  Output  System）ブート動作＞
近年のコンピュータは、数種類の記憶装置（例えば、オペレーティング・システムを含んでいる記憶装置）から複数のアプリケーションを実行するように手動で設定することが可能である。例えば、コンピュータ内のＢＩＯＳの構成や設定にアクセスしたり構成や設定を修正したりする方法をユーザが良く知っているならば、コンピュータがブートするためのオペレーティング・システムを何れの記憶装置の中から見つけようとするかに関する順番を当該ユーザは手動で再プログラムすることが可能である。この特定のシナリオにおいて、当該コンピュータは、どの記憶装置をブート元として探しに行くかについての直列的な順番を保持し、このような順番の例としては、最初にまずはＣＤ−ＲＯＭドライブの中を探し、続いて、ハード・ディスクの中を探すものがある。本発明に係る幾つかの実施例においては、上述した直列的な順番は、ブート装置の各々についての相対的な優先順位を示すことが可能である。ＢＩＯＳが再プログラムされ、および／または修正されるまでは、当該コンピュータの上述した直列的なブートの順番は同一のままである。関連するＢＩＯＳ設定にアクセスする方法についての知識無しには、ユーザは、当該コンピュータのブート順序を修正することが出来ないままであり、当該コンピュータ上に新しいオペレーティング・システムを改めてインストールしない限り、当該コンピュータがブートすることが可能なオペレーティング・システムを変更することも一定程度まで出来ないままである。
【００１８】
本明細書に記載された多種多様な実施例は、可搬型記憶装置が存在することが検出された際に、当該可搬型記憶装置内に記憶されているオペレーティング・システムを使用してコンピュータ装置を自動的にブートする機能を実現する。例えば、ブート可能なオペレーティング・システムを含んでいるＵＳＢメモリ型記憶装置は、コンピュータ装置に取り付けることが可能である。当該コンピュータ装置は、当該可搬型記憶装置が存在することを判断し（例えば、当該可搬型記憶装置が当該コンピュータ装置に接続されていることを判断し）、当該可搬型記憶装置内に含まれているブート可能なオペレーティング・システムを認識し、そのブート実行順序を当該可搬型記憶装置に動的にリダイレクトするように構成されることが可能である。任意の適切な可搬型記憶装置を使用することが可能であり、そのような可搬型記憶装置の例としては、可搬型のＣＤ−ＲＯＭ装置、可搬型のメモリ・フラッシュ・カード、外付けハード・ディスク、ＵＳＢメモリ型記憶装置などがある。本発明に係る幾つかの実施例においては、当該可搬型記憶装置内に格納されているオペレーティング・システムは、当該可搬型記憶装置内において完全にカプセル化される当にすることが可能である。例えば、当該可搬型記憶装置内に含まれているオペレーティング・システムは、コンピュータ装置の内部に常駐している如何なるオペレーティング・システムからも完全に分離され、及び／又はこれらから完全に独立したものとすることが可能である。
【００１９】
可搬型記憶装置から動的にブートを実行することは、当該可搬型記憶装置が検出された際に、当該コンピュータ装置が当該可搬型記憶装置からブート動作を実行し、当該可搬型記憶装置が検出されない場合には、当該コンピュータ装置内に事前にプログラムされた直列的な順番に従ってブート動作を実行する。例えば、当該可搬型記憶装置が検出されない場合には、当該コンピュータ装置は、自身と関係付けられたブート実行モジュール内において事前にプログラムされている順番に従ってブート動作を実行することが可能であり、例えば、最初に「記憶装置Ａ」からブート動作を実行し、続いて「記憶装置Ｂ」からブート動作を実行し、以下同様に続く。しかしながら、当該可搬型記憶装置が検出された際に、当該コンピュータ装置は、自身もブート実行モジュール内において事前にプログラムされているブート順序から逸脱して、当該検出された可搬型記憶装置からブート動作を実行することが可能である。このような動作は、ユーザからの手動操作による介入無しに実現することが可能であり、例えば、コンピュータ装置のブート・コードをユーザに手動で変更させるようなこと無しに実現される。当該可搬型記憶装置は、当該コンピュータ装置の直列的なブート実行順序の中において指定された複数の記憶装置とは異なるものとすることが可能である。例えば、当該可搬型記憶装置は、上述した具体例において述べた「記憶装置Ａ」および「記憶装置Ｂ」とは異なる種類の記憶装置とすることが可能である。
【００２０】
本発明に係る幾つかの実施例においては、ブート動作を可搬型記憶装置に動的にリダイレクトする制御は、選択的に有効化したり無効化したりすることが可能である。例えば、幾つかのオペレーティング・システムや装置は、ブート動作のリダイレクト制御をユーザが有効化したり無効化したりすることを可能にするソフトウェアやアプリケーションを含むことが可能である。本発明に係る幾つかの実施例においては、上述したブート動作の動的リダイレクト制御機能は、デフォルト値として「有効化状態」の設定値を持つことが可能であり、別の実施例においては、この機能は、デフォルト値として「無効化状態」の設定値を持つことが可能である。上述したブート動作の動的リダイレクト制御機能が有効化されている場合には、当該可搬型記憶装置が存在することを検出した際に、当該コンピュータ装置は、ブート動作を当該可搬型記憶装置に動的にリダイレクトすることが可能である。上述したブート動作の動的リダイレクト制御機能が無効化されている場合には、当該可搬型記憶装置が存在することが検出されるか否かとは無関係に、当該コンピュータ装置は、自身と関係付けられたブート実行モジュールの中において事前にプログラムされているとおりにブート動作を実行する。
【００２１】
幾つかの場合においては、上述した有効化／無効化の機能を有するソフトウェアやアプリケーションは、一般的に全てのユーザからアクセスすることが可能である一方で、そのようなソフトウェアへのアクセスは、指定された特権を有するユーザだけに限定されることも可能である。
【００２２】
動作中において、上述したブート動作の動的リダイレクト制御機能は、本発明の一実施形態によれば、以下に述べるとおりに実装することが可能である。まず最初に、一つのファイルが生成され、対応するコンピュータ装置のブート動作の動的リダイレクトの状態を反映している情報（例えば、ブート動作の動的リダイレクトが有効化されているか無効化されているかに関する情報）を含めるために当該ファイルを修正することが可能である。当該ファイルは任意の適切な方法に従って構成設定されることが可能であり、当該ファイルは例えば、セキュリティ保護されたファイル、テキスト形式ファイル、バイナリ形式ファイル、広く一般にアクセス可能なファイルまたはこれらの組み合わせを含む。本発明に係る幾つかの実施例においては、上述したブート動作の動的リダイレクト制御機能は、ファイル以外の形態で提供されることも可能であり、例えば、構成設定、パーティション（区画）テーブル、メタ・データなどのような形式で提供されることも可能である。代替的に又は追加的に、トリガー・ファイルのような追加のファイルが生成され、当該トリガー・ファイルは、当該コンピュータ装置のアクセスを上述した有効化／無効化に関する情報を含んでいるファイルに向けるように構成されることが可能である。本発明に係る幾つかの実施例においては、上述したトリガー・ファイルは、対応するコンピュータ装置のブート動作の動的リダイレクト機能を有効化するアプリケーションにユーザがアクセスすることを介して動的に生成されたり更新されたりすることが可能である。本発明に係るその他の実施例においては、当該コンピュータ装置の内部に常駐するオペレーティング・システムのインストール動作の期間内において、上述したトリガー・ファイルがインストールされることが可能である。
【００２３】
例えば、本発明に係る一つ以上の実施例に従う方法における複数の処理ステップを記述するフロー図を図示する図２について検討する。特に、図２は、修正されたレガシー型のブート実行プロセスを利用するコンピュータ装置のブート動作を動的にリダイレクトする一例を図示する。
【００２４】
レガシー型のブート環境においては、コンピュータ装置は、起動時において、例えばＢＩＯＳ等のようなファームウェアを使用して、当該コンピュータ装置と関係付けられた多種多様なデバイスを認識し初期化することが可能である。典型的には、ＢＩＯＳ設定画面にアクセスするために、製造販売元が予め定義したキーボード操作を行うことにより、ユーザは、ＢＩＯＳが構成設定される方法を変更することが可能である。当該ＢＩＯＳが当該コンピュータ装置の初期化動作の部分を完了したことに応じて、処理ステップ２０２は、図２のフローの実行制御をマスター・ブート・レコードに転送する。当該マスター・ブート・レコードは、任意のタイプの記憶装置内に格納されることが可能である。より典型的には、当該マスター・ブート・レコードは、ＢＩＯＳによってサポートされ、及び／又は認識されている記憶装置の上に格納される。しばしば、当該マスター・ブート・レコードは、パーティション毎に区分された記憶装置の最初のセクターであり、オペレーティング・システム等のような一つ以上のアプリケーションを起動するためにコンピュータ装置によって利用されるより詳細な情報を含んでいる。当該マスター・ブート・レコードは、例えば、パーティション・テーブルを含むこと等により、一つのディスク装置がどのような方法でパーティション毎に区分されるのかを記述する情報をさらに含んでいる。
【００２５】
処理ステップ２０４は、図２のフローの実行制御をボリューム・ブート・セクターに転送する。当該ボリューム・ブート・セクターは、当該マスター・ブート・レコードによって間接的に起動されることが可能な追加のソフトウェアや追加のアプリケーションを含んでいる。本発明に係る幾つかの実施例においては、当該ボリューム・ブート・セクターは、図１に記載されたブート動作リダイレクト実行モジュール１１２の一部分又は全体を含むことが可能である。
【００２６】
処理ステップ２０６は、ブート動作の動的リダイレクト制御が有効化されているかを判定する。この判定動作は、適切な方法により実現することが可能であり、例えば、フラグの設定、トリガー・ファイルの存在、ファイルから抽出された情報などに基づく方法により実現することが可能である。例えば、本発明に係る幾つかの実施例においては、当該コンピュータ装置は、まずトリガー・ファイルが存在するか否かを判定し、当該トリガー・ファイルが存在するならば、上述したとおり、ブート動作の動的リダイレクト制御機能の状態を示す情報（有効化／無効化を表す情報）に関する第２のファイルを処理する。例えば、トリガー・ファイルが存在しないと判定された、及び／又は上述した第２のファイルの中の情報が無効化状態を示していると判定された等により、上述したブート動作の動的リダイレクト制御機能が有効化されていないと判定されたならば、当該コンピュータ装置の実行制御は処理ステップ２０８に進み、当該コンピュータ装置自身の内部に存在するオペレーティング・システム（ＯＳ）をブートする、及び／又は関連するブート実行モジュールによって指示されたＯＳをブートする。代替的に、例えば、トリガー・ファイルが存在すると判定された、及び／又は上述した第２のファイルの中の情報が有効化状態を示していると判定された等により、上述したブート動作の動的リダイレクト制御機能が有効化されていると判定されたならば、当該コンピュータ装置の実行制御は処理ステップ２１０に進む。
【００２７】
処理ステップ２１０は、例えば、ブート可能なオペレーティング・システムを含んでいる可搬型記憶装置等のような、さらに別のブート可能な記憶装置が存在するか否かを判定する。この処理ステップは、任意の適切な方法により実行されることが可能である。例えば、ファームウェアは、取り付けられたデバイスに関してサポートされているバスの種別を問い合わせた上で、当該デバイスからの応答を待つように構成されることが可能である。本発明に係る幾つかの実施例においては、当該ファームウェアは、事前に設定されたブート実行順序（例えば、一番最初がＵＳＢ、続いて、ハード・ディスクなど）を決定し、最初の分類種別に属する全てのデバイス（上記の例で言えば、ＵＳＢ）を列挙し、続いて、パーティション・レコード、及び／又はアクティブ状態のパーティション（例えば、ブート可能なパーティション）の存在の有無をスキャンするように構成されることが可能である。その他の更なるブート可能な記憶装置が存在しないと判定されたならば、当該コンピュータ装置の実行制御は処理ステップ２０８に進む。代替的に、本発明に係る一つ以上の実施例においては、更なるブート可能なデバイスが存在すると判定されたならば、当該コンピュータ装置の実行制御は、処理ステップ２１２に進む。
【００２８】
処理ステップ２１２は、当該ブート可能な記憶装置が、許可済みリストの中に含まれているか否かを判断する。例えば、本発明に係る幾つかの実施例においては、当該コンピュータ装置は、所定の情報を含んでいるファイルやリストを処理することが可能であり、当該所定の情報は、当該コンピュータ装置がブートを実行する起点とすることが許可されているブート可能な複数の記憶装置と関係付けられた情報であり、幾つかの実施例においては、当該所定の情報は、当該コンピュータ装置がブートを実行する起点とすることが許可されていないブート可能な複数の記憶装置と関係付けられた情報である。もしも、当該ブート可能な記憶装置が許可済みのブート可能な記憶装置ではないと判定されたならば、当該コンピュータ装置の実行制御は処理ステップ２０８に進む。代替的に、当該ブート可能な記憶装置が許可済みのブート可能な記憶装置であると判定されたならば、及び／又は当該ブート可能な記憶装置が許可済みリストの中に含まれていると判定されたならば、当該コンピュータ装置の実行制御は処理ステップ２１４に進む。許可済みである記憶装置を判定するための任意の適切な方法を利用することが可能であり、そのような方法の例としては、一つ以上の許可済みのデバイスを識別する情報を具備するリストを介した方法、一つ以上の許可されていないデバイスを識別する情報を具備するリストを介した方法、または上述した方法の任意の組み合わせなどがある。本発明に係る幾つかの実施例においては、ユーザは、「許可済みの」及び／又は「許可されていない」デバイスの一覧からなるリストを編集したり管理したりすることが可能である。
【００２９】
処理ステップ２１４は、図２のフローの実行制御を当該ブート可能な記憶装置と関係付けられたマスター・ブート・レコードに転送する。例えば、図２のフローの実行制御は、上述したボリューム・ブート・セクターから、当該ブート可能な記憶装置内に格納されているＯＳと関係付けられているマスター・ブート・レコードへと転送されることが可能である。当該ブート可能な記憶装置と関係付けられているマスター・ブート・レコードに図２のフローの実行制御が転送されることに応じて、処理ステップ２１６は、当該ブート可能な記憶装置の中に格納されているポータブルＯＳをブートする。
【００３０】
続いて、本発明に係る一つ以上の実施例に従う方法における複数の処理ステップを記述するフロー図を図示する図３について検討する。当該方法は、任意の適切なハードウェア、ソフトウェア、ファームウェアまたはこれらの組み合わせによって実行されることが可能である。本発明に係る少なくとも一部の実施例においては、当該方法の複数の側面は、例えば、図１に記載されたブート動作リダイレクト実行モジュール１１２などのような、コンピュータ装置の上で実行中の適切に構成設定されたソフトウェアによって実行される。
【００３１】
処理ステップ３００は、コンピュータ装置のブート動作の動的リダイレクト制御を有効化するように構成設定されているトリガー・ファイルが存在するか否かを判定する。当該トリガー・ファイルが存在すると判定されたことに応じて、処理ステップ３０２は、当該コンピュータ装置のブート動作を可搬型記憶装置へと動的にリダイレクトするか否かを判定する。これは、任意の適切な方法に従って判定することが可能であり、そのような方法の具体例は上述したとおりである。本発明に係る幾つかの実施例においては、この判定動作は、当該可搬型記憶装置が存在するか否かに基づいて、ブート動作の動的リダイレクト制御が有効化／無効化されているか、ブート可能なオペレーティング・システムが当該可搬型記憶装置の中に存在するか否か、当該可搬型記憶装置が許可済みのデバイスと判定されるか否かに基づいて、またはこれらの組み合わせに基づいて実行することが可能である。
【００３２】
当該トリガー・ファイルが存在しないと判定されたことに応じて、処理ステップ３０４は、関連するブート実行モジュールによって指定されたとおりに当該コンピュータ装置をブートし、例えば、上述したとおり、関連するＢＩＯＳ内部において事前にプログラムされた直列的なブート順序に従って当該コンピュータ装置をブートする。
【００３３】
本発明の一つ以上の実施例に従って、レガシー型のブート動作のサポートについて上記のとおり検討してきたので、今度は、本発明の一つ以上の実施例に従って、ＵＥＦＩ（Unified  Extensible  Firmware  Interface）の文脈においてブート動作の動的リダイレクト制御について以下のとおりに検討する。
【００３４】
＜ＵＥＦＩ（Unified  Extensible  Firmware  Interface）ブート動作＞
コンピュータ装置をブートするためにＢＩＯＳが使用される場合、典型的には、当該ＢＩＯＳは、当該コンピュータ装置の初期化処理を実行した上で、マスター・ブート・レコードに実行制御を渡すために、実行制御を手放す。当該マスター・ブート・レコードに実行制御を転送するに際して、当該ＢＩＯＳ内に存在しているコード、データおよび設定内容は、これ以降は直接的にはアクセス可能ではなくなる。コンピュータ装置をブートするための代替的な方法は、ＵＥＦＩ（Unified  Extensible  Firmware  Interface）を利用する。ＵＥＦＩシステムにおいて、当該コンピュータ装置の上にオペレーティング・システムをロードし、ブートするプラットフォーム・ファームウェアは、例えば「ランタイム・サービス」と呼ばれるもののように、ブート実行プロセスの後であっても継続的にアクセス可能な特定の情報要素を含むことが可能である。アプリケーションは、ＵＥＦＩにおけるこれらの「ランタイム・サービス」を介してブート・デバイス間の優先順位に関するファームウェアの設定内容にアクセスし、当該コンピュータ装置の振る舞いや構成設定を変更することが可能である。本発明に係る幾つかの実施例においては、これは、当該コンピュータ装置の直列的なブート実行順序を再構成するために、ブート実行時にユーザが当該ファームウェアに手動でアクセスすること無しに、当該コンピュータ装置のブート動作を動的にリダイレクトする制御を含むことが可能である。代替的に又は追加的に、これは、修正されタブーと実行順序を有効化するために、可搬型記憶装置と関係付けられた一般的なエントリ及び／又は特定のエントリを追加する動作を含むことが可能である。
【００３５】
ＵＥＦＩシステムは、プラットフォーム・ファームウェア内部に複数のブート・エントリから成るリストを維持管理することが可能である。これらのブート・エントリは、ブート可能なデバイスが発見されるまで、当該ファームウェアに対して特定の順番に従ってブート動作の実行を指示するように構成されている。例えば、以下のようなブート実行順序を含むようなブート・エントリのリストがあると想定する。具体的には、（１）ハード・ディスク  その１、（２）ハード・ディスク  その２、（３）ＤＶＤ（ディジタル多用途ディスク）ドライブ、（４）ＵＳＢドライブ、および（５）ネットワーク・ドライブという順序に従うリストを想定する。上述した具体的なリストに関し、当該コンピュータ装置は、最初に、「ハード・ディスクその１」からブートしようと試みる。「ハード・ディスクその１」の上にブート可能なドライブが見つかった場合には、当該コンピュータ装置のブート動作は、更なる他のデバイスを探しに行くのを中止し、「ハード・ディスクその１」からブートする。ブート可能なドライブが見つからなかった場合には、当該コンピュータ装置の試行は、「ハード・ディスクその２」に進む。上述した処理プロセスは、ブート可能なドライブが見つかるか、または上記リスト中に後続のエントリが見つからなくなるまで、上記リストに沿って繰り返し実行される。本発明に係る幾つかの実施例においては、上記「ランタイム・サービス」は、上述したブート・エントリのリストを修正したり変更したりするために使用されることが可能である。例えば、上記「ランタイム・サービス」を介して、ＵＳＢドライブに対応するブート・エントリを、上述したリスト内の（４）の位置から（１）の位置に移動することが可能である。上述した具体的な場合において、当該コンピュータ装置が再ブートした際には、当該コンピュータ装置は、ブート動作の起点として、ＵＳＢデバイスを最優先に探しに行く。ブート可能なディスクを具備したＵＳＢデバイスが存在することが検出された際には、当該コンピュータ装置は、それに従ってブートする。当該ＵＳＢデバイスが存在する旨が検出されない場合には、当該コンピュータ装置の試行は、ブート・エントリのリスト内において、後続のエントリに対応するデバイスに移行する。
【００３６】
本発明に係る幾つかの実施例においては、ブート動作リダイレクト制御アプリケーションを上述したブート・エントリのリスト内に配置することが可能であり、幾つかの場合においては、最優先の順位に対応する位置に配置することが可能である。例えば、上述したブート・エントリのリストを変更して、ブート・デバイスに加えて、及び／又はブート・デバイスの代わりに、アプリケーションを追加するために、上記「ランタイム・サービス」を使用することが可能である。上述した場合に見られるように、上述したリスト内における当該ブート動作リダイレクト制御アプリケーションのエントリ位置は、当該アプリケーションが実行される優先順位を決定することが可能である。当該コンピュータ装置がブートする際に、当該ブート動作リダイレクト制御アプリケーションが、上述したリストの先頭に配置されるならば、当該ファームウェアは、当該アプリケーションに対して最初に実行制御を転送しようと試みる。当該アプリケーションは任意の適切な方法で構成設定することが可能であり、そのような方法の具体例は以下において後述される。例えば、当該アプリケーションは、可搬型記憶装置が存在することが検出された際に、当該コンピュータ装置のブート動作を当該可搬型記憶装置に対して動的にリダイレクトするように構成設定されることが可能である。
【００３７】
一つの具体例として、本発明に係る一つ以上の実施例に従う方法における複数の処理ステップを記述したフロー図を図示する図４について以下のとおりに検討する。具体的には、図４は、ＵＥＦＩを介してアクセス可能となるように構成されたプラットフォーム・ファームウェアを使用するブート動作の動的リダイレクト制御の一例を図示する。当該方法は、任意の適切なハードウェア、ソフトウェア、ファームウェアまたはこれらの組み合わせによって実行されることが可能である。本発明に係る幾つかの実施例においては、当該方法の一部は、図１に記載されたコンピュータ装置１０２の上で実行されるように実装されることが可能である。
【００３８】
処理ステップ４０２は、ブート動作リダイレクト制御アプリケーションを実行する。コンピュータ装置は、ＵＥＦＩと関係付けられたプラットフォーム・ファームウェアを介してブート動作を実行するので、ブート実行プロセスは、例えば、当該コンピュータ装置の内部ＯＳのシステム・パーティション内に存在しているブート動作リダイレクト制御プリケーション等のような一つ以上のアプリケーションを実行する動作を含むことが可能である。本発明に係る幾つかの実施例においては、当該ブート動作リダイレクト制御プリケーションは、複数のブート・エントリから成るリストの中に挿入されることが可能であり、幾つかの場合においては、その挿入先は、リストの先頭に位置するエントリ、及び／又は最高の優先順位に対応するエントリであり、その結果、ブート実行プロセスの期間中において、ブート動作の実行制御は当該ブート動作リダイレクト制御プリケーションに対して一番最初に渡される。当該ブート動作リダイレクト制御プリケーションは、当該コンピュータ装置がブート動作を実行する方法を動的にリダイレクトする制御と関係した機能を含んでおり、例えば、可搬型記憶装置が存在することを識別し、ＵＥＦＩインターフェースを介してプラットフォーム・ファームウェアを修正するなどの機能を含んでいる。本発明に係る幾つかの実施例においては、当該ブート動作リダイレクト制御プリケーションは、ブート動作の動的リダイレクト制御を有効化したり無効化したりする機能を含んでいる。当該ブート動作リダイレクト制御プリケーションの実行期間中に、当該コンピュータ装置の実行制御は、処理ステップ４０４に進む。
【００３９】
処理ステップ４０４は、さらに別のブート可能な記憶装置（例えば、上述したようにブート可能なＯＳを含んでいる可搬型記憶装置等）が存在するか否かを判定する。ブート可能な記憶装置が全く存在しないと判定されたならば、当該コンピュータ装置の実行制御は、処理ステップ４０６に進み、当該コンピュータ装置のブート動作リダイレクト制御プリケーションやブート実行モジュールによって指示されるところに従って、当該コンピュータ装置の上の内部ＯＳをブートする。しかしながら、ブート可能な記憶装置が存在すると判定されたならば、当該コンピュータ装置の実行制御は、処理ステップ４０８に進む。
【００４０】
処理ステップ４０８は、当該ブート可能な記憶装置が、許可済みリストの中に含まれているか否かを判定する。この判定動作は、任意の適切な方法に従って実現されることが可能であり、そのような方法の具体例は上述したとおりである。当該ブート可能な記憶装置が許可済みのブート可能記憶装置ではないと判定されるならば、当該コンピュータ装置の実行制御は処理ステップ４０６に進む。当該ブート可能な記憶装置が許可済みのブート可能記憶装置であると判定されるならば、当該コンピュータ装置の実行制御は処理ステップ４１０に進む。
【００４１】
処理ステップ４１０は、当該ブート可能な記憶装置の上に格納されているポータブルＯＳをブートする。これは、任意の適切な方法に従って実現することが可能であり、例えば、ＵＥＦＩを介してプラットフォーム・ファームウェアに対してプログラムされたロジックによってコマンドを発行する方法に従って実現することが可能である。本発明に係る幾つかの実施例においては、当該ブート可能な記憶装置と関係付けられたブート・エントリは、プラットフォーム・ファームウェアの中に挿入されることが可能であり、その結果、当該ブート可能な記憶装置からブート動作を実行するようにプラットフォーム・ファームウェアに指示を出すことが実行可能となる。例えば、当該ブート可能な記憶装置が可搬型のＵＳＢ型の記憶装置である場合には、プラットフォーム・ファームウェアに対して一般的なＵＳＢクラスのエントリが追加され、当該コンピュータ装置のブート動作が当該ＵＳＢ型の記憶装置へとリダイレクトされる。このようにして、当該コンピュータ装置は、ユーザが関連するブート実行モジュールを手動で修正しなくても、当該ブート可能な記憶装置からブートを実行するようにブート動作を動的にリダイレクトされることが可能である。
【００４２】
続いて、本発明に係る一つ以上の実施例に従う方法における複数の処理ステップを記述するフロー図を図示する図５について検討する。当該方法は、任意の適切なハードウェア、ソフトウェア、ファームウェアまたはこれらの組み合わせによって実行されることが可能である。本発明に係る少なくとも一部の実施例においては、当該方法の複数の側面は、例えば、図１に記載されたブート動作リダイレクト実行モジュール１１２などのような、コンピュータ装置の上で実行中の適切に構成設定されたソフトウェアによって実行される。
【００４３】
処理ステップ５００は、コンピュータ装置をブートする動作を動的にリダイレクトする制御を有効化する。上述したとおり、当該コンピュータ装置をブートする動作の動的なリダイレクト制御は、有効化されたり無効化されたりすることが可能である。例えば、この処理ステップは、当該コンピュータ装置の外部からの接続手段を介して「有効化／無効化」を表す設定値を受信することにより実行されることが可能であり、例えば、運用管理者が当該「有効化／無効化」を表す設定値を当該コンピュータ装置に対してプッシュ配信することを介して実行されることが可能である。
【００４４】
処理ステップ５０２は、当該コンピュータ装置の上に可搬型記憶装置が存在するか否かを判定する。このことは、当該可搬型記憶装置が当該コンピュータ装置に取り付けられているか否か、及び／又は当該コンピュータ装置と通信中であるか否かを判定する動作を含み、そのような判定動作の具体例は上述したとおりである。代替的に又は追加的に、この動作は、当該可搬型記憶装置の上にブート可能なオペレーティング・システムが存在しているか否かを判定する動作を含む。
【００４５】
処理ステップ５０４は、当該コンピュータ装置がブートを実行する起点として、当該可搬型記憶装置が許可可能な記憶装置であるか否かを判定する。許可可能な記憶装置を判定するための任意の適切な方法を利用することが可能であり、そのような方法の具体例は上述したとおりである。
【００４６】
当該コンピュータ装置がブートを実行する起点として、当該可搬型記憶装置が許可可能な記憶装置であると判定されることに応じて、当該コンピュータ装置の直列的なブート実行順序をユーザが手動で修正することなく、処理ステップ５０８は、当該コンピュータ装置のブート動作を、当該可搬型記憶装置に対して動的にリダイレクトする。例えば、当該コンピュータ装置と関係付けられているブート実行モジュール内における複数のデバイス間の直列的な順序をユーザが手動でプログラムすることなく、当該コンピュータ装置は、動的にリダイレクトされることが可能である。本発明に係る幾つかの実施例においては、一のブート・デバイスの存在に基づいて、ソフトウェアが当該ブート・デバイスを当該コンピュータ装置のブート実行順序に対して自動的に追加することが可能である。
【００４７】
ＵＥＦＩ環境においてコンピュータ装置のブート動作を動的にリダイレクトする制御をサポートすることについて上記のとおりに検討したので、続いて、本発明に係る一つ以上の実施例に従う例示的なシステムについて以下のとおりに検討する。
【００４８】
＜例示的なシステム＞
図６は、図１における装置１０２を参照して上述した任意のタイプの可搬型デバイス及び／又はコンピュータ装置として実装することが可能な例示的な装置６００の多種多様な構成要素を図示する。
【００４９】
装置６００は、装置データ６０４（例えば、受信したデータ、現在受信中のデータ、同報通信のためにスケジューリングされているデータ、データのパケットなど）の有線または無線による通信を可能にする通信装置６０２を含む。装置データ６０４またはその他の装置内コンテンツ情報は、当該装置の構成設定内容、当該装置上に記録されたメディア・コンテンツ、および／または当該装置のユーザと関連する情報などを含むことが可能である。装置６００上に記録されたメディア・コンテンツは、任意のタイプの音声データ、ビデオ・データおよび／または画像データを含むことが可能である。装置６００は、任意のタイプのデータ、メディア・コンテンツおよび／または情報入力（例えば、ユーザが選択可能な入力、メッセージ、音楽、テレビ媒体コンテンツ、録画されたビデオ・コンテンツおよび任意のコンテンツ情報やデータ源から受信したその他の任意のタイプの音声データ、ビデオ・データおよび／または画像データ）が受信される受信端点となり得る一つ以上のデータ入力６０６を含む。ユーザが選択可能な入力は、それによってユーザが当該装置と対話することが可能となる一つ以上の入力機構を含む。ユーザが選択可能な入力機構は、例えば、キーボード、ボタン、スタイラス、タッチ・スクリーン、マウス、映像入力などの任意の適切な方法によって実装することが可能である。
【００５０】
装置６００は、シリアル・インターフェース及び／又はパラレル・インターフェース、無線インターフェース、任意のタイプのネットワーク・インターフェース、モデムの中の何れか一つ以上として、およびその他の任意のタイプの通信インターフェースとして実装されることが可能な通信インターフェース６０８をさらに含む。通信インターフェース６０８は、装置６００と通信ネットワークとの間に接続および／または通信回線を提供し、それによって、他の電子装置やコンピュータ装置、および通信装置が装置６００と通信する。
【００５１】
装置６００は、一つ以上のプロセッサ６１０（例えば、マイクロ・プロセッサ、コントローラなど）を含み、プロセッサ６１０は、装置６００の動作を制御し、上述したコンピュータ装置のブート動作の動的リダイレクト制御を実装するためのコンピュータ実行可能な又はコンピュータ読み取り可能な様々な命令コードを処理する。代替的に又は追加的に、装置６００は、参照符号６１２によって一般に識別される処理と制御のための回路と関連して実装されるハードウェア、ファームウェア、または固定された論理回路の何れか又はこれらの組み合わせによって実装されることが可能である。図示されてはいないが、装置６００は、装置６００内の様々な構成要素を互いに接続するシステム・バスやデータ転送システムを含むことが可能である。システム・バスは、メモリ・バスやメモリ・コントローラ、周辺機器バス、ユニバーサル・シリアル・バスなどのような複数の異なるバス構造の何れか一つ又はこれらの組み合わせ、および／または任意の多種多様なバス・アーキテクチャを利用するプロセッサ・バスやローカル・バスを含むことが可能である。
【００５２】
装置６００は、一つ以上のメモリ部品のようなコンピュータ読み取り可能記憶媒体６１４をさらに含み、その具体例には、ＲＡＭ（Random  Access  Memory）、不揮発性メモリ（ＲＯＭ（Read-Only  Memory）、フラッシュ・メモリ、ＥＰＲＯＭ、ＥＥＰＲＯＭなど）、ディスク記憶装置等が含まれる。ディスク記憶装置は、任意のタイプの磁気記憶装置または光学記憶装置として実装することが可能であり、その具体例には、ハード・ディスク・ドライブ、ＣＤ−Ｒ、ＣＤ−ＲＷ、任意のタイプのＤＶＤ（Digital  Versatile  Disc）などが含まれる。
【００５３】
コンピュータ読み取り可能媒体６１６は、装置データ６０４と共に様々なデバイス・アプリケーション６１８、装置６００の動作的な側面と関係したその他の任意のタイプの情報やデータを格納するデータ記憶の仕組みを提供する。例えば、オペレーティング・システム６２０は、コンピュータ読み取り可能媒体６１６に記録されプロセッサ６１０によって実行されるコンピュータ・アプリケーションとして維持管理されることが可能である。デバイス・アプリケーション６１８は、デバイス・マネージャ（例えば、制御アプリケーション、ソフトウェア・アプリケーション、信号処理と制御のためのモジュール、特定の装置にとってネイティブなバイナリ命令コード、特定の装置に関するハードウェア抽象化レイヤなど）を含むことが可能である。デバイス・アプリケーション６１８はさらに、本明細書中で説明されたコンピュータ装置のブート動作の動的リダイレクト制御についての複数の実施例を実装するために利用される任意のシステム構成要素やモジュールを含んでいる。
【００５４】
装置６００に関して、デバイス・アプリケーション６１８は、上述したとおり装置６００のブート動作を動的にリダイレクトするように構成されることが可能なブート動作リダイレクト制御モジュール６２２を含んでいる。図中においてブート動作リダイレクト制御モジュール６２２はソフトウェア・モジュール及び／又はコンピュータ・アプリケーションとして図示され、ハードウェア、ソフトウェア、ファームウェアまたはこれらの組み合わせとして実装されることが可能である。
【００５５】
＜結論＞
本明細書に記載された多種多様な実施例は、可搬型記憶装置が存在することが検出された際に、当該可搬型記憶装置内に記憶されているオペレーティング・システムを使用してコンピュータ装置を自動的にブートする機能を実現する。当該可搬型記憶装置が存在することが検出された際に、当該コンピュータ装置は、当該可搬型記憶装置から動的にブートし、当該可搬型記憶装置が存在しないことが検出された際には、当該コンピュータ装置は、当該コンピュータ装置と関係付けられたブート・モジュールにおいて、事前にプログラムされていたブート順序に復帰するように構成されることが可能である。本発明に係る幾つかの実施例においては、当該オペレーティング・システムは、当該可搬型記憶装置内において完全にカプセル化されており、例えば、当該オペレーティング・システムは、当該コンピュータ装置を一番最初にブートしたオペレーティング・システムから完全に分離された別個のものであったりする。
【００５６】
本発明の技術的主題は、構造的な特徴や方法的な動作に固有の言い回しで説明されてきたけれども、本明細書に添付した特許請求の範囲において定義されている本発明の技術的主題は、上述したような特定の特徴や動作に必ずしも限定されるものではなく、むしろ、上述した特定の特徴や動作は、本明細書に添付した特許請求の範囲記載の発明を実施するための例示的な形態を開示するものである。
【図１】
2014513365.tif 000003
【図２】
2014513365.tif 000004
【図３】
2014513365.tif 000005
【図４】
2014513365.tif 000006
【図５】
2014513365.tif 000007
【図６】
2014513365.tif 000008
【国際調査報告】
2014513365.tif 000009
2014513365.tif 000010